(57)【要約】【課題】各種学校やスポーツクラブ等のサービス提供事業所に通う意識を高めることができるトレーディングポイントカードを提供する。【解決手段】当月利用した回数が記録される当月利用回数印刷領域１８と、複数の単位期間からなる所定期間内の累計利用回数が記録される累計利用回数印刷領域１５の利用回数累計データ記録部とが印刷領域１１Ａに設けられる。また、特別項目印刷領域２１が前記印刷領域１１Ａに設けられている。そして、月内でのサービスの提供を受けた回数及び所定期間内の累計が当月利用回数印刷領域１８と累計利用回数印刷領域１５に印刷され、顧客においてサービス提供事業所に通った回数の管理が行いやすくなり、このためより多くのポイントを貯めてより高額の商品等と交換しようとする意識を高めて、サービス提供事業所にに通う回数を増加させることができる。【選択図】      図３
2005007819.tif 000002
【特許請求の範囲】
【請求項１】
発行に際して、顧客がサービスの提供を受けた利用度合から算出されるポイントが印刷装置を介して印刷される印刷領域を有するトレーディングポイントカードに於いて、単位期間内で前記サービスの提供を受けた回数が印刷される利用回数データ印刷領域と、複数の単位期間からなる所定期間内の回数の累計が記録される累計利用回数データ印刷領域とが前記印刷領域に設けられていることを特徴とするトレーディングポイントカード。
【請求項２】
前記サービスの提供を受けた際に、所定の確率で通常よりもポイントが増加して算出されたことを印刷する特別事項印刷領域が前記印刷領域に設けられていることを特徴とする請求項１記載のトレーディングポイントカード。
【請求項３】
特定の成績に対して付与されるポイントを印刷する特別事項印刷領域が前記印刷領域に設けられていることを特徴とする請求項１記載のトレーディングポイントカード。
【請求項４】
前記請求項１記載のトレーディングポイントカードを処理するカード処理システムにおいて、このカード処理システムが、前記トレーディングポイントカードに記録されている情報を読み込む読込手段と、前記トレーディングポイントカードの印刷領域にポイント、利用回数データ及び累計利用回数データを印刷する印刷手段と、制御手段とを有し、この制御手段が、前記読込手段によって読み込まれた情報に基づいて、その会員の有するポイント、利用回数データ及び累計利用回数データを記録手段から読み込むデータ読込処理と、新規に発生するポイントを算出するポイント算出処理と、読み込まれたポイントのデータに算出されたポイントを加算するポイント加算処理と、読み込まれた利用回数データ及び累計利用回数データに今回の回数を加算する回数加算処理と、加算更新されたポイント、利用回数データ及び累計利用回数データを前記記録手段に書き込む書き込み処理を行うと共に、加算更新されたポイント、利用回数データ及び累計利用回数データを前記印刷手段によって前記印刷領域に印刷することを特徴とするカード処理システム。
【請求項５】
前記制御手段が、所定の確率で通常よりもポイントを増加して算出すると共に、前記印刷手段が、ポイントが増加して算出されたことを請求項２記載の前記特別事項印刷領域に印刷することを特徴とする請求項４記載のカード処理システム。
【請求項６】
前記制御手段が、特定の成績に対してポイントを付与すると共に、前記印刷手段が、成績に対してポイントが付与されたことを請求項３記載の前記特別事項印刷領域に印刷することを特徴とする請求項４記載のカード処理システム。
【請求項７】
前記制御手段が、予め選択登録されているプログラム又はカリキュラムに基づいて自動的にポイントを計算するポイント算出処理を実行することを特徴とする請求項４記載のカード処理システム。
【発明の詳細な説明】
【０００１】
【発明の属する技術分野】
本発明は、塾や音楽教室等各種学校の生徒やスポーツクラブ等の会員等といったサービス提供事業所の顧客に、各種のサービスの提供を受けた際等の利用度合に応じてポイントを付与し、一定数のポイントが集まった場合に商品等と交換できるトレーディングポイントカード及びカード処理システムに関する。
【０００２】
【従来の技術】
従来、この種のものとして、買い物をしたり、或いは美容院等のサービスを受けたりする度に、その支払金額に応じてポイントを付与し、一定数のポイントが集まった場合に商品等と交換できるトレーディングポイントカードが公知である（例えば、特許文献１参照）。また、会員が運動器具を使用して運動を行い、その運動の強弱、運動継続  時間などのデータから算出された得点（ポイント）データを、運動終了後に、携帯電話等の情報端末機等を用いてホストコンピューターとの間でデータ通信をすることでホストコンピューターに蓄積し、そして会員が、そのポイントにより代金の値引き、減額、或いは無償でのサービスの提供、優遇などの特典を得ることができるようにした健康管理支援システムも公知である（例えば、特許文献２参照）。
【０００３】
【特許文献１】
特開平９−１２８６００号公報（段落０００２）
【特許文献２】
特開２００３−３６３１５号公報（段落０００４）
【０００４】
【発明が解決しようとする課題】
従来のシステムのうち、前者のものは、支払った金額に応じてポイントを得るというものであるが、このような金額に対応したトレーディングポイントカードにおいては、支払った金額にのみ対応しているので、例えば来店回数に応じてポイントが増えるようなものではない。従って、このようなトレーディングポイントカードを、例えば塾や音楽教室等各種学校の生徒やスポーツクラブ等の会員等といったサービス提供事業所の顧客に利用した場合には、利用回数、すなわち通う回数が多くても少なくても、たまるポイントが同じであるので、ポイントによって塾や音楽教室等各種学校やスポーツクラブ等のサービス提供事業所へ通う意識を高めることができないという問題がある。
【０００５】
一方、従来のシステムのうち、後者のものは、会員が運動器具を使用して運動を行うと、その運動の強弱、運動継続  時間などのデータからポイントが算出されるので、通って運動器具を使用し、そしてポイントを獲得することで通う意識を高めることができるものの、このシステムにおいては、通った利用回数やその累計が表示されないので、例えば月８回の利用を目標としている場合、当月に今まで何回通っているか等を直ちに知ることができないので、通う回数の過不足や皆勤状態などを直ちに把握することができないという問題がある。
【０００６】
そこで、本発明は、塾や音楽教室等各種学校の生徒やスポーツクラブ等の会員等といったサービス提供事業所の顧客を対象にした、通う意識を高めることができるトレーディングポイントカード、及びそのための処理システムを提供することを目的とする。
【０００７】
【課題を解決するための手段】
請求項１の発明は、発行に際して、顧客がサービスの提供を受けた利用度合から算出されるポイントが印刷装置を介して印刷される印刷領域を有するトレーディングポイントカードに於いて、単位期間内で前記サービスの提供を受けた回数が印刷される利用回数データ印刷領域と、複数の単位期間からなる所定期間内の回数の累計が記録される累計利用回数データ印刷領域とが前記印刷領域に設けられていることを特徴とするトレーディングポイントカードである。
【０００８】
この請求項１の構成によれば、貯まったポイントの他に、単位期間内でのサービスの提供を受けた回数及びその累計がトレーディングポイントカードに印刷されて表示される。
【０００９】
また、請求項２の発明は、前記サービスの提供を受けた際に、所定の確率で通常よりもポイントが増加して算出されたことを印刷する特別事項印刷領域が前記印刷領域に設けられていることを特徴とする請求項１記載のトレーディングポイントカードである。
【００１０】
この請求項２の構成によれば、通常のポイントが付与される他に、所定の確率で通常よりもポイントが増加して算出されたことが特別事項印刷領域に印刷されて表示される。
【００１１】
請求項３の発明は、特定の成績に対して付与されるポイントを印刷する特別事項印刷領域が前記印刷領域に設けられていることを特徴とする請求項１記載のトレーディングポイントカードである。
【００１２】
この請求項３の構成によれば、特定の成績に対して付与されたポイントが特別事項印刷領域に印刷されて表示される。
【００１３】
請求項４の発明は、前記請求項１記載のトレーディングスタンプカードを処理するカード処理システムにおいて、このカード処理システムが、前記トレーディングポイントカードに記録されている情報を読み込む読込手段と、前記トレーディングポイントカードの印刷領域にポイント、利用回数データ及び累計利用回数データを印刷する印刷手段と、制御手段とを有し、この制御手段が、前記読込手段によって読み込まれた情報に基づいて、その会員の有するポイント、利用回数データ及び累計利用回数データを記録手段から読み込むデータ読込処理と、新規に発生するポイントを算出するポイント算出処理と、読み込まれたポイントのデータに算出されたポイントを加算するポイント加算処理と、読み込まれた利用回数データ及び累計利用回数データに今回の回数を加算する回数加算処理と、加算更新されたポイント、利用回数データ及び累計利用回数データを前記記録手段に書き込む書き込み処理を行うと共に、加算更新されたポイント、利用回数データ及び累計利用回数データを前記印刷手段によって前記印刷領域に印刷することを特徴とするカード処理システムである。
【００１４】
この請求項４のシステムによれば、トレーディングポイントカードから読込手段によって情報が読み込まれ、制御手段によって、算出されたポイント、算出された利用回数及び累計利用回数を更新すると共に、前記印刷手段によって前記トレーディングポイントカードの印刷領域に印刷される。
【００１５】
請求項５の発明は、前記制御手段が、所定の確率で通常よりもポイントを増加して算出すると共に、前記印刷手段が、ポイントが増加して算出されたことを請求項２記載の前記特別事項印刷領域に印刷することを特徴とする請求項４記載のカード処理システムである。
【００１６】
この請求項５のシステムによれば、所定の確率で通常よりも増加して算出されたポイントが、前記印刷手段によって前記特別事項印刷領域に印刷されて表示される。
【００１７】
請求項６の発明は、前記制御手段が、特定の成績に対してポイントを付与すると共に、前記印刷手段が、成績に対してポイントが付与されたことを請求項３記載の前記特別事項印刷領域に印刷することを特徴とする請求項４記載のカード処理システムである。
【００１８】
この請求項６のシステムによれば、特定の成績に対して付与されたポイントが、前記印刷手段によって前記特別事項印刷領域に印刷されて表示される。
【００１９】
請求項７の発明は、前記制御手段が、予め選択登録されているプログラム又はカリキュラムに基づいて自動的にポイントを計算するポイント算出処理を実行することを特徴とする請求項４記載のカード処理システムである。
【００２０】
この請求項７のシステムによれば、前記トレーディングポイントカードから前記読込手段によって読み込まれた情報に基づいて、予め選択登録されているプログラム又はカリキュラムを記録手段から読み込み、この読み込まれたプログラム又はカリキュラムに基づいて自動的にポイントが計算される。
【００２１】
【発明の実施形態】
以下、本発明の一実施形態について、添付図を参照して説明する。図１乃至図２に於いて、１は、後述するトレーディングポイントカード１１の処理システムで使用されるカード処理機を示している。このカード処理機１の前面にはカード挿入部２が設けられていると共に、前記カード処理機１の上面には、メッセージ等を表示する液晶表示部３が設けられている。そして、前記カード処理機１は、ＲＯＭ４、ＲＡＭ５及びＣＰＵ６を有している。前記ＲＯＭ４には、前記カード処理機１を作動させるためのプログラム等が記録されていると共に、前記ＲＡＭ５には、情報処理における一時データが記録される。また、前記ＣＰＵ６には、前記液晶表示部３と、カード処理機１に内蔵され且つトレーディングポイントカード１１にポイント等を印刷する印刷手段としての印刷ユニット７が接続されている。また、前記ＣＰＵ６には、トレーディングポイントカード１１の磁気記録部の所定内容を読み込み且つトレーディングポイントカード１１の磁気記録部に所定内容を書き込む機能を有する、カード処理機１に内蔵された読込手段としてのカード読書ユニット８が接続されている。更に、前記ＣＰＵ６には、前記カード処理機１を後述する端末１０に接続するための接続端子９が接続されている。尚、１０は制御手段としてのパソコン等の端末であり、この端末１０内に記録手段としてのハードディスク１０Ａが設けられている。そして、前記カード処理機１及び端末１０によって、トレーディングポイントカード１１の処理システムが構成される。
【００２２】
このシステムで使用されるカードは、主として顧客の持つトレーディングポイントカード１１と、図示しない予納カードと、図示しない設定カード等から構成され、夫々のカードには、前記カード処理機１のカード読書ユニット８によってアクセスされる磁気記録部（図示せず）を有する。
【００２３】
顧客が所有するトレーディングポイントカード１１の表面側の印刷領域１１Ａには、図３に示すように、上段より下段にかけて、顧客の会員番号印刷領域１２、トレーディングポイントカード１１の発行日印刷領域１３、顧客の氏名印刷領域１４、複数の単位期間からなる所定期間内（本実施形態では三ヶ月）に利用した累計利用回数データ印刷領域１５、利用することにより得られた累計ポイント印刷領域１６、最終利用日印刷領域１７、利用回数データ印刷領域としての当月利用回数印刷領域１８と一ヶ月前利用回数印刷領域１９と二ヶ月前利用回数印刷領域２０、及び通常のポイント算出とは異なる特別事項を印刷するための特別事項印刷領域２１が設けられている。この特別事項印刷領域２１は、例えばトレーディングポイントカード１１をカード処理機１に挿入したときに所定の確率でポイントが増加して算出される『当たり』及び通常通りのポイントである『外れ』を印刷する領域であり、本実施形態では、『当たり』の場合、得られるポイントが通常のポイント算出量の３倍となって今までのポイント数に累計されると共に、『あたり』の印刷がなされる。一方、『外れ』の場合には、図４に示すように『残念』の印刷がなされる。尚、前記印刷領域１１Ａのうち、少なくとも前記累計利用回数データ印刷領域１５、累計ポイント印刷領域１６、最終利用日印刷領域１７、当月利用回数印刷領域１８、一ヶ月前利用回数印刷領域１９、二ヶ月前利用回数印刷領域２０、特別事項印刷領域２１については、書き換え自在に構成されている。
【００２４】
そして、トレーディングポイントカード１１をカード処理機１に挿入することで、当日利用したことに起因して当月の利用回数及び三ヶ月間の利用回数の累計数が１加算されて、当月利用回数及び累計利用回数が更新され、また、利用に伴うポイントも、予め選択登録されているプログラム又はカリキュラムに基づいて算出され、この算出されたポイントが今までのポイントに加算されて、累計ポイントが更新され、更に、当日の月日が最終利用日となって最終利用日が更新される。そして、これらの更新されたデータは、それぞれ当月利用回数印刷領域１８、累計利用回数データ印刷領域１５、累計ポイント印刷領域１６、最終利用日印刷領域１７に、新たに印刷される。更に、更新された累計ポイントは、前記トレーディングポイントカード１１の裏面の図示しない磁気記録部に記録される。また、前記端末１０のハードディスク１０Ａには、顧客の誕生日、入会記念日、或いは進級記念日等が記録されている。
【００２５】
一方、図示しない設定カードは、システム設定の鍵となっており、この設定カードを前記カード処理機１に挿入することで、システムの設定を行うことができるようになっている。なお、システム設定の項目の一例としては、単位ポイント数、前述した『当たり』の確率及び『当たり』時のポイントの倍率、特定日（誕生日、入会記念日、進級記念日等）における増加（ボーナス）ポイント数等がある。
【００２６】
なお、前述したように、『当たり』の確率及び『当たり』時のポイントの倍率は、前記設定カードをカード処理機１に挿入することにより適宜設定されるもので、顧客がトレーディングポイントカード１１を挿入する度に、数十分の一（例えば５０分の１：５０回に１回）の『当たり』確率に基づいてランダムに『当たり』を抽出し、『当たり』の場合、設定された『当たり』時のポイントの倍率によりポイントを増加させるように算出して、その算出されたポイントを加えた累計ポイントが顧客カード１１の累計ポイント印刷領域１６に印刷される。
【００２７】
上記トレーディングポイントカード１１とカード処理機１に係る処理の概略は、例えば、顧客が利用した際に、トレーディングポイントカード１１をカード処理機１に挿入することで、予め選択登録されたプログラム又はカリキュラムに従ってポイントが算出され、更新された各種データが各印刷領域に印刷されると共に、この更新された各種データが端末１０のハードディスク１０Ａに記録され、更に一部のデータが図示しない磁気記録部に記録される。尚、スポーツクラブなどにおいては、前記トレーディングポイントカード１１を１日に何回前記カード処理機１に挿入しても、１回と計数されるようになっている。
【００２８】
尚、算出されたポイントは、前記トレーディングポイントカード１１の印刷領域１１Ａに数字で表示する外、グラフィック表示しても良い。この場合、ポイントは、前記端末１０のハードディスク１０Ａに対しては数字で記録されるが、前記トレーディングポイントカード１１に対しては、ポイントからのグラフィック変換率に基づいてポイントグラフが算出され、このポイントグラフが印刷ユニット７によって前記トレーディングポイントカード１１の印刷領域１１Ａに印刷されると共に、そのポイントマークが累積的に前記トレーディングポイントカード１１に記録される。
【００２９】
また、このシステムにおいて、例えば予め図示しない予納カードの磁気記録部に予納金額を記録しておき、この予納カードに記録されている予納金額を前記カード処理機１のカード読書ユニット８によって読み取り、接続端子９を介して端末１０のハードディスク１０Ａに記録しておき、顧客が前記トレーディングポイントカード１１をカード処理機１に挿入する度に、料金を予納金額から差し引き、端末１０のハードディスク１０Ａに記録されている予納金額の残高が無くなると、補充しなければならないようになっている。
【００３０】
次に、図５に基づいて、カード処理システムに於ける処理手順を示すフローチャートについて説明する。
（００１）システム全体、即ちカード処理機１及び端末１０の電源をＯＮにすることにより、液晶表示部３に、例えば「カード挿入」と表示される。
（００２）（００３）前記カード読書ユニット８からの信号によって、前記カード処理機１のＣＰＵ６は、カード挿入部２へカードが挿入されたことを認識すると共に、挿入されたカードがトレーディングポイントカード１１か否かを判断する。尚、挿入されたカードが設定カードなどである場合には、別のフローに基づいて作動するようになっている。
（００４）設定された『当たり』の確率に従って、ランダムに『当たり』を抽出し、『当たり』にするか否かを選択する。
（００５）『当たり』である場合には、付与ポイントを算出する。このポイントは、通常の付与ポイントに１より大きい『当たり』倍率を乗じて算出されたものである。
（００６）『当たり』でない（＝『外れ』）場合には、１回の利用に伴う通常の付与ポイントを算出する。
（００７）当日が端末１０のハードディスク１０Ａに記録された顧客の誕生日、入会記念日、或いは進級記念日等の記念日であるかを判断する。
（００８）当日が、挿入された前記トレーディングポイントカード１１の該当顧客にとって何らかの記念日である場合、予め定められた増加（ボーナス）ポイント数を算出する。当日が該当顧客にとって何の記念日でもない場合、この処理をスキップする。
（００９）挿入されたトレーディングポイントカード１１の該当顧客の各種情報を前記端末１０のハードディスク１０Ａから読み込む。
（０１０）前記ハードディスク１０Ａから読み取られたポイントに、今回（００５）、（００６）、（００８）で得られたポイント数を加算する。
（０１１）前記トレーディングポイントカード１１を前記カード処理機１に挿入した最終利用日の情報を更新する。
（０１２）前記ハードディスク１０Ａから読み取られた当月利用回数に１を加算する。尚、利用した当日が当月の最初であった場合には、以前の当月利用回数であったものが、一ヶ月前利用回数に更新され、また、以前の一ヶ月前利用回数であったものが二ヶ月前利用回数に更新され、二ヶ月前利用回数であったものが破棄されるようになっている。そして、当月利用回数と一ヶ月前利用回数と二ヶ月前利用回数を合計して、累計利用回数が算出される。
（０１３）前記トレーディングポイントカード１１の印字スペース１１Ａの累計利用回数データ印刷領域１５、累計ポイント印刷領域１６、最終利用日印刷領域１７、当月利用回数印刷領域１８、一ヶ月前利用回数印刷領域１９、二ヶ月前利用回数印刷領域２０、特別事項印刷領域２１に、それぞれ（０１２）で算出された累計利用回数、（０１０）で算出された累計ポイント数、（０１１）で更新された最終利用日、（０１２）で算出された当月利用回数、一ヶ月前利用回数、二ヶ月前利用回数、（００４）でランダムに選択された『当たり』表示又は『外れ』表示が、前記印刷ユニット７によって印刷される。
【００３１】
このように、顧客が塾や音楽教室等各種学校やスポーツクラブ等のサービス提供事業所に通うことで、ポイントを貯めることができる。そして、貯まったポイントに応じて希望する商品と交換される。この交換は、予めポイントに対応して設定された交換商品カタログ等に記載された複数種類の商品群から、ポイントに応じて商品を選択するものである。商品との交換は、例えば各種学校やスポーツクラブ等のサービス提供事業所の受け付けで、貯めたポイントに見合ったポイントシールを、貯まったポイントと交換し、そしてそのポイントシールを郵送等で商品管理委託業者に送ることにより、商品管理委託業者より希望の商品が発送される。
【００３２】
以上のように本発明は、当月に通って利用した回数や一ヶ月前利用回数、二ヶ月前利用回数が印刷される当月利用回数印刷領域１８、一ヶ月前利用回数印刷領域１９、二ヶ月前利用回数印刷領域２０と、複数の単位期間からなる所定期間内の累計利用回数が印刷される累計利用回数データ印刷領域１５とが前記印刷領域１１Ａに設けられ、月内でのサービスの提供を受けた回数及びその累計が印刷され、顧客が通った回数の管理が行いやすくなる。このため、より多くのポイントを貯めてより高額の商品等と交換しようとする意識を高めて、各種学校やスポーツクラブ等のサービス提供事業所に通う回数を増加させることができる。
【００３３】
また、特別事項印刷領域２１が前記印刷領域１１Ａに設けられていることで、利用の度に付与されるポイントの増加が予想できないので、各種学校やスポーツクラブ等のサービス提供事業所に通う楽しみを増やし、通う回数を増加させることができる。
【００３４】
また、制御部たる端末１０が、前記読込手段たるカード読書ユニット８から読み込まれたトレーディングポイントカード１１に記録されている情報に基づいて記録手段たるハードディスク１０Ａから累計ポイント、当月利用回数、一ヶ月前利用回数、二ヶ月前利用回数及び累計利用回数を読み込むデータ読込処理と、新規に発生するポイントを算出するポイント算出処理と、前記読み込まれたポイントのデータに算出されたポイントを加算するポイント加算処理と、前記読み込まれた当月利用回数及び累計利用回数のデータに今回分を加算する回数加算処理と、加算更新された累計ポイント、利用回数データ及び累計利用回数データを前記記録手段に書き込む書き込み処理を行うと共に、加算更新された累計ポイント、利用回数データ及び累計利用回数データを前記印刷手段たる印刷ユニット７によって前記印刷領域１１Ａに印刷されることにより、利用回数が前記トレーディングポイントカード１１の印刷領域１１Ａに表されて、その管理を容易に行うことができ、各種学校やスポーツクラブ等のサービス提供事業所に通う意識を高めることができる。
【００３５】
更に、『当たり』『外れ』等の特別事項を印刷する特別事項印刷領域２１を前記印刷領域１１Ａに設け、前記印刷ユニット７によって特別事項印刷領域２１に印刷することにより、各種学校やスポーツクラブ等のサービス提供事業所に通う意識をより高めることができる。
【００３６】
しかも、ポイント算出処理で、前記制御手段が、予め選択登録されているプログラム又はカリキュラムに基づいて自動的にポイントを計算するので、顧客にとってカード処理が簡単に行うことができる。
【００３７】
尚、前記特別事項印刷領域２１に印刷される内容は、『当たり』『外れ』等、偶然の要素の外に、特定の成績を印刷しても良い。この特定の成績とは、例えば、学習塾においては模擬試験の点数等、スポーツクラブにおいては体脂肪率等が考えられる。そしてこの場合、図６に示すように、前記特別事項印刷領域２１には、『おめでとう』『もう少し』『まだまだ』…等の印刷がなされる。
【００３８】
このように、特定の成績が印刷される特別事項印刷領域２１が前記印刷領域１１Ａに設けられていることで、目標を持つことができるので、各種学校やスポーツクラブ等のサービス提供事業所に通う楽しみを増やし、通う回数を増加させることができる。
【００３９】
尚、本発明は上記実施形態に限定されるものではなく、本発明の要旨の範囲内において、種々の変形実施が可能である。例えば、上記実施形態では、ポイントによるものを示したが、ポイントからグラフィック変換率に基づいて算出されたポイントグラフに応じたものでもよい。また、上記実施形態では、単位期間を１ヶ月としたが、１日、１週間、１０日間、或いは２カ月、さらには半年、１年など適宜の期間とすればよい。
【００４０】
【発明の効果】
請求項１の発明は、発行に際して、顧客がサービスの提供を受けた利用度合から算出されるポイントが印刷装置を介して印刷される印刷領域を有するトレーディングポイントカードに於いて、単位期間内で前記サービスの提供を受けた回数が印刷される利用回数データ印刷領域と、複数の単位期間からなる所定期間内の回数の累計が記録される累計利用回数データ印刷領域とが前記印刷領域に設けられていることを特徴とするトレーディングポイントカードであり、貯まったポイントの他に、単位期間内でのサービスの提供を受けた回数及びその累計がトレーディングポイントカードに印刷されて表示されるので、顧客において通った回数の管理が行いやすく、より多くのポイントを貯めてより高額の商品等と交換しようとする意識が高まり、この結果、サービス提供事業所に顧客が通う回数が増加する。
【００４１】
また、請求項２の発明は、前記サービスの提供を受けた際に、所定の確率で通常よりもポイントが増加して算出されたことを印刷する特別事項印刷領域が前記印刷領域に設けられていることを特徴とする請求項１記載のトレーディングポイントカードであり、通常のポイントが付与される他に、所定の確率で通常よりもポイントが増加して算出されたことが特別事項印刷領域に印刷されて表示されるので、サービス提供事業所に通う楽しみを増やして顧客が通う回数を増加させることができる。
【００４２】
請求項３の発明は、特定の成績に対して付与されるポイントを印刷する特別事項印刷領域が前記印刷領域に設けられていることを特徴とする請求項１記載のトレーディングポイントカードであり、特定の成績に対して付与されたポイントが特別事項印刷領域に印刷されて表示されるので、顧客が目標を持つことでサービス提供事業所に通う楽しみを増やし、通う回数を増加させることができる。
【００４３】
請求項４の発明は、前記請求項１記載のトレーディングスタンプカードを処理するカード処理システムにおいて、このカード処理システムが、前記トレーディングポイントカードに記録されている情報を読み込む読込手段と、前記トレーディングポイントカードの印刷領域にポイント、利用回数データ及び累計利用回数データを印刷する印刷手段と、制御手段とを有し、この制御手段が、前記読込手段によって読み込まれた情報に基づいて、その会員の有するポイント、利用回数データ及び累計利用回数データを記録手段から読み込むデータ読込処理と、新規に発生するポイントを算出するポイント算出処理と、読み込まれたポイントのデータに算出されたポイントを加算するポイント加算処理と、読み込まれた利用回数データ及び累計利用回数データに今回の回数を加算する回数加算処理と、加算更新されたポイント、利用回数データ及び累計利用回数データを前記記録手段に書き込む書き込み処理を行うと共に、加算更新されたポイント、利用回数データ及び累計利用回数データを前記印刷手段によって前記印刷領域に印刷することを特徴とするカード処理システムであり、トレーディングポイントカードから読込手段によって情報が読み込まれ、制御手段によって、算出されたポイント、算出された利用回数及び累計利用回数を更新すると共に、前記印刷手段によって前記トレーディングポイントカードの印刷領域に印刷されるので、利用回数がトレーディングポイントカードに表されてその管理を容易に行うことができ、サービス提供事業所に通う意識を高めることができる。
【００４４】
請求項５の発明は、前記制御手段が、所定の確率で通常よりもポイントを増加して算出すると共に、前記印刷手段が、ポイントが増加して算出されたことを請求項２記載の前記特別事項印刷領域に印刷することを特徴とする請求項４記載のカード処理システムであり、所定の確率で通常よりも増加して算出されたポイントが、前記印刷手段によって前記特別事項印刷領域に印刷されて表示されることにより、サービス提供事業所に通う意識をより高めることができる。
【００４５】
請求項６の発明は、前記制御手段が、特定の成績に対してポイントを付与すると共に、前記印刷手段が、成績に対してポイントが付与されたことを請求項３記載の前記特別事項印刷領域に印刷することを特徴とする請求項４記載のカード処理システムであり、特定の成績に対して付与されたポイントが、前記印刷手段によって前記特別事項印刷領域に印刷されて表示されるので、顧客が目標を持つことでサービス提供事業所に通う楽しみを増やし、通う回数を増加させることができる。
【００４６】
請求項７の発明は、前記制御手段が、予め選択登録されているプログラム又はカリキュラムに基づいて自動的にポイントを計算するポイント算出処理を実行することを特徴とする請求項４記載のカード処理システムであり、前記トレーディングポイントカードから前記読込手段によって読み込まれた情報に基づいて、予め選択登録されているプログラム又はカリキュラムを記録手段から読み込み、この読み込まれたプログラム又はカリキュラムに基づいて自動的にポイントが計算されるので、顧客にとってカード処理が簡単に行うことができる。
【図面の簡単な説明】
【図１】本発明の一実施形態を示すカード処理システムの斜視図である。
【図２】本発明の一実施形態を示すカード処理機のブロック図である。
【図３】本発明の一実施形態を示すトレーディングポイントカードの正面図であり、図３（Ａ）は使用前の正面図、図３（Ｂ）は使用後の正面図である。
【図４】本発明の一実施形態を示す他のトレーディングポイントカードの正面図である。
【図５】本発明の一実施形態を示すフローチャートである。
【図６】本発明の他の実施形態を示すトレーディングポイントカードの正面図である。
【符号の説明】
７  印字ユニット（印字手段）
８  カード読書ユニット（読込手段）
１０  端末（制御部）
１０Ａ  ハードディスク（記録手段）
１１Ａ  印刷領域
１５  累計利用回数印刷領域
１６  累計ポイント印刷領域
１８  当月利用回数印刷領域
１９  一ヶ月前利用回数印刷領域
２０  二ヶ月前利用回数印刷領域
２１  特別項目印刷領域
【図１】
2005007819.tif 000003
【図２】
2005007819.tif 000004
【図３】
2005007819.tif 000005
【図４】
2005007819.tif 000006
【図５】
2005007819.tif 000007
【図６】
2005007819.tif 000008